(57)【要約】【課題】強風の場合でもネットを下降させる必要がなく、ネットが損傷したときなどはネットを下降させて地上でメンテナンスを行うことのできる鋼管支柱へのネットの展張装置を提供すること。【解決手段】下部にウインチ台２が設けられ、上端部に頭部金物４が設けられて地盤上に立設された鋼管支柱１を有し、一端がウインチ台２のウインチ３に巻かれ他端が頭部金物４の滑車５を介してウインチ台２に固定され、滑車５とウインチ台２との間において上下方向の複数箇所が固定されたネット２０が設けられたウインチワイヤ７と、ウインチ台２と頭部金物４との間に設けられ、ウインチワイヤ７のネット２０を有する部分に設けた複数のリング１７に挿通されたガイドワイヤ１６と、鋼管支柱１の上下方向に設けられ、ガイドワイヤ１６を着脱可能にガイドするシャックル１５を備えた複数のガイド手段１１とを備えた。【選択図】図１
2011177211.tif 000002
【特許請求の範囲】
【請求項１】
下部にウインチ台が設けられ、上端部に頭部金物が設けられて地盤上に立設された鋼管支柱を有し、
一端が前記ウインチ台のウインチに巻かれ他端が前記頭部金物の滑車を介して前記ウインチ台に固定され、前記滑車とウインチ台との間において上下方向の複数箇所が固定されたネットが設けられたウインチワイヤと、
前記ウインチ台と頭部金物との間に設けられ、前記ウインチワイヤのネットを有する部分に設けた複数のリングに挿通されたガイドワイヤと、
前記鋼管支柱の上下方向に設けられ、前記ガイドワイヤを着脱可能にガイドするシャックルを備えた複数のガイド手段とを備えたことを特徴とする鋼管支柱へのネットの展張装置。
【請求項２】
下部にウインチ台が設けられ、上端部に頭部金物が設けられて地盤上に立設された鋼管支柱を有し、
一端が前記ウインチ台のウインチに巻かれ、他端が前記頭部金物の滑車に掛けられたウインチワイヤ、及び上下方向の複数箇所が固定されたネットを有し上端部が前記ウインチワイヤに接続され、下端部が前記ウインチ台に固定されたタテワイヤと、
前記ウインチ台と頭部金物との間に設けられたガイドワイヤとを有し、
前記鋼管支柱の上下方向に設けた複数のガイド手段のシャックルにより前記ガイドワイヤをそれぞれ着脱可能にガイドすると共に、前記タテワイヤの上記方向に設けた複数のリングに前記ガイドワイヤを挿通したことを特徴とする鋼管支柱へのネットの展張装置。
【請求項３】
前記ガイド手段を、前記鋼管支柱の外壁に固定され前記ウインチワイヤが挿通されるチャンネル状のガイド部材と、ほぼＵ字状に折り曲げられて前記ガイド部材の前面側に設けられた曲げ鉄筋と、該曲げ鉄筋に着脱可能に装着されたシャックルとによって構成したことを特徴とする請求項１又は２記載の鋼管支柱へのネットの展張装置。
【発明の詳細な説明】
【技術分野】
【０００１】
本発明は、例えば、ゴルフ練習場や野球グラウンドなどに設けられたネットの鋼管支柱への展張装置に関するものである。
【背景技術】
【０００２】
例えば、ゴルフ練習場や野球グラウンドなどにおいては、敷地の周囲の地盤に所定の間隔で複数の鋼管支柱を立設し、この鋼管支柱にネットを張り渡して、ボールが場外へ飛散するのを防止している。
このようなネットを張り渡す鋼管支柱は、通常高さが数十ｍ（例えば、ゴルフ練習場では３０〜６０ｍ、野球グラウンドでは２０〜３０ｍ程度）に達するため、複数本の異径鋼管を現場において順次接合して地盤に立設し、その上下間にネットを張り渡している。
【０００３】
図６は従来の鋼管支柱へのネットの張り渡し（以下、展張という）の一例の説明図である。
基部が地盤Ｇに埋設されて立設された鋼管支柱１０１の下部には、ウインチ１０３を備えたウインチ台１０２が設けられており、上端部には、ウインチ台１０２と同方向に滑車１０５を有する頭部金物１０４が設けられている。また、地上の鋼管支柱１０１から離れた位置には、ガイドシーブ１０７を有する固定台１０６が設置されている。１０９は頭部金物１０４と地盤Ｇとの間に設けられたガイドワイヤである。
【０００４】
そして、ウインチ１０３、滑車１０５及びガイドシーブ１０７の間には、エンドレスのウインチワイヤ１０８が掛けられており、このウインチワイヤ１０８の滑車１０５とガイドシーブ１０７との間には、ガイドワイヤ１０９に沿って上部がウインチワイヤ１０８に固定され、その間の複数箇所がリング１１１によりウインチワイヤ１０８に固定されたネット１１０が張られている。
【０００５】
このようにウインチワイヤ１０８に張られたネット１１０は、ウインチ１０３を駆動してウインチワイヤ１０８を矢印ａ方向に巻き取ると、滑車１０５とガイドシーブ１０７との間にガイドワイヤ１０９に沿ってネット１１０が展開され、ウインチ１０３を巻き戻すと、ネット１１０がウインチワイヤ１０８と共にガイドワイヤ１０９に沿って矢印ｂ方向に移動して下降し、地上に降りる。このようなネット１１０の展張方式を、一般に、昇降式ネットと呼んでいる（従来技術１）。
【０００６】
図７は従来の鋼管支柱へのネットの展張の他の例を示す説明図である。
本例は、ネット１１０の上下及びその間の複数箇所が固定されたタテワイヤ１１２の上端部を、鋼管支柱１０１の上部に設けた頭部金具１０４に固定すると共に、下端部を鋼管支柱１０１に沿って地盤Ｇ上に設けた固定台１０６に固定し、このタテワイヤ１０９を頭部金具１０４と固定金具１０６との間にほぼ等間隔で、複数の固定金具１１３により鋼管支柱１０１に固定したものである。このようなネットの展張方式を、一般に固定ネットと呼んでいる（従来技術２）。
【０００７】
上記のような従来技術１，２について特許文献及び非特許文献を調査したが、発見できなかった。
【発明の概要】
【発明が解決しようとする課題】
【０００８】
従来技術１のような昇降式ネットにおいては、ネット１１０が破損などした場合は、ウインチ１０３を駆動してネット１１０を下降させ、地上に降して補修などを行えばよいので、メンテナンスが容易である。
しかし、矢印方向の風が吹くとネット１１０が風下側に一点鎖線で示すように膨らみ、リング１１１を介してネット１１０と一体的に設けたガイドワイヤ１０９の上端部Ａと下端部Ｂを介して鋼管支柱１０１に大きな引張り力が作用し、ガイドワイヤ１１２の上端部Ａを介して鋼管支柱１０１の上部に集中荷重が加わるため、鋼管支柱１０１が損傷したり倒壊したりするおそれがある。
そのため、風速が例えば２０ｍを超える（以下、強風という）と、その都度ネット１１０を下降させて鋼管支柱１０１を保護しており、きわめて面倒であった。
【０００９】
従来技術２の固定式ネットにおいては、ネット１１０が取付けられたタテワイヤ１１２は、所定の間隔で固定金具１１３により鋼管支柱１０１に固定されているため、強風になってもネット１１０は一点鎖線に示すように撓むだけなので、鋼管支柱１０１に加わる荷重は分散される。このため、鋼管支柱１０１が損傷したり倒壊したりするおそれがないので、強風下でもネット１１０を下降させる必要がなかった。
【００１０】
しかし、ネット１１０はタテワイヤ１１２を介して鋼管支柱１０１に固定されているため、損傷などによりメンテナンスを必要とする場合は、作業者がタラップ（図示せず）により鋼管支柱１０１に昇って補修作業を行わなければならないのできわめて面倒であるばかりでなく、高所作業のため危険である。特に並設した鋼管支柱１０１の間においてネット１１０が損傷したような場合は、クレーン車などを用いて補修作業を行わなければならず、メンテナンスがきわめて面倒であった。
【００１１】
本発明は、上記の課題を解決するためになされたもので、強風の場合でもネットを下降させる必要がなく、ネットが損傷したときなどはネットを下降させて地上でメンテナンスを行うことのできる鋼管支柱へのネットの展張装置を提供することを目的としたものである。
【課題を解決するための手段】
【００１２】
本発明に係る鋼管支柱へのネットの展張装置は、下部にウインチ台が設けられ、上端部に頭部金物が設けられて地盤上に立設された鋼管支柱を有し、一端が前記ウインチ台のウインチに巻かれ他端が前記頭部金物の滑車を介して前記ウインチ台に固定され、前記滑車とウインチ台との間において上下方向の複数箇所が固定されたネットが設けられたウインチワイヤと、前記ウインチ台と頭部金物との間に設けられ、前記ウインチワイヤのネットを有する部分に設けた複数のリングに挿通されたガイドワイヤと、前記鋼管支柱の上下方向に設けられ、前記ガイドワイヤを着脱可能にガイドするシャックルを備えた複数のガイド手段とを備えたものである。
【００１３】
また、下部にウインチ台が設けられ、上端部に頭部金物が設けられて地盤上に立設された鋼管支柱を有し、一端が前記ウインチ台のウインチに巻かれ、他端が前記頭部金物の滑車に掛けられたウインチワイヤ、及び上下方向の複数箇所が固定されたネットを有し上端部が前記ウインチワイヤに接続され、下端部が前記ウインチ台に固定されたタテワイヤと、前記ウインチ台と頭部金物との間に設けられたガイドワイヤとを有し、前記鋼管支柱の上下方向に設けた複数のガイド手段のシャックルにより前記ガイドワイヤをそれぞれ着脱可能にガイドすると共に、前記タテワイヤの上記方向に設けた複数のリングに前記ガイドワイヤを挿通したものである。
【００１４】
また、上記のガイド手段を、前記鋼管支柱の外壁に固定され前記ウインチワイヤが挿通されるチャンネル状のガイド部材と、ほぼＵ字状に折り曲げられて前記ガイド部材の前面側に設けられた曲げ鉄筋と、該曲げ鉄筋に着脱可能に装着されたシャックルとによって構成したものである。
【発明の効果】
【００１５】
本発明によれば、強風の場合でもネットを下降させる必要がなく、また、ネットが損傷した場合などには、ネットを地上に降して修理作業などを行うことができるので、日常の管理及びメンテナンスがきわめて容易で、作業性を大幅に向上することができる。
【図面の簡単な説明】
【００１６】
【図１】本発明の一実施の形態に係る鋼管支柱へのネットの展張装置の説明図である。
【図２】図１のＸ−Ｘ断面の詳細図である。
【図３】図２の側面図である。
【図４】本発明の全体構成の説明図である。
【図５】図３のガイド手段の作用説明図である。
【図６】従来の昇降式ネットの説明図である。
【図７】従来の固定式ネットの説明図である。
【発明を実施するための形態】
【００１７】
本発明の一実施の形態に係る鋼管支柱へのネットの展張装置を説明するための図１〜図４において、１は基部が地盤Ｇに埋設されて地上に立設された鋼管支柱で下部にはウインチ３を有するウインチ台２が設けられており、上端部には吊り具を介して滑車５が取付けられた頭部金物４が設けられている。６はウインチ台２の先端部側に設けられた固定台である。
【００１８】
７は一端がウインチ３に巻かれたウインチワイヤで、他端は滑車５に掛けられたのち、下端部が固定台６に固定されたタテワイヤ１０の上端部に接続されている。そして、このタテワイヤ１０の上下にはネット２０の上下が固定されており、さらにネット２０は上下方向に所定の間隔でタテワイヤ１０に固定されている。
１６は固定台６のウインチ３側と頭部金物４との間に、吊り具を介して設置されたガイドワイヤである。
【００１９】
鋼管支柱１には、ウインチ台２及び頭部金物４と同方向に、上下方向に所定の間隔で複数のチャンネル状のガイド部材１２が溶接により固定されており、このガイド部材１２には、先端部にほぼＵ字状に折り曲げられた曲げ鉄筋１４を有する支持部材１３が溶接接合されている。この曲げ鉄筋１４はガイド部材１２の前面側に直接取付けてもよい。１５は曲げ鉄筋１４に着脱可能に装着されたシャックルである。なお、以下の説明では、これらをガイド手段１１という。
【００２０】
前述のウインチワイヤ７はガイド手段１１のガイド部材１２内に挿通されており、シャックル１５はガイドワイヤ１６を着脱可能にガイドしている。また、ネット２０が取付けられたタテワイヤ１０には、上下方向に所定の間隔で例えば鋼線材からなるリング１７が設けられており、このリング１７にはガイドワイヤ１６が挿通されている。
１８は鋼管支柱１の外周のウインチ台２及び頭部金物４と直交する側に上下方向に所定の間隔で設けられたタラップ、１９は鋼管支柱１の頂部に設けた避雷針である。
【００２１】
上記のように構成した鋼管支柱へのネットの展張装置において、ネット２０を展張する場合は、作業者がタラップ１８により鋼管支柱１に昇り、各ガイド手段１１のシャックル１５をガイドワイヤ１６から外し、図５に示すように、曲げ鉄筋１４に引掛けておく。なお、曲げ鉄筋１４から外してもよい。このとき、タテワイヤ１０は地上にあるものとする。
【００２２】
この状態でウインチ３を駆動してウインチワイヤ７を矢印ａ方向に巻き取ると、これに接続されたタテワイヤ１０がガイドワイヤ１６に沿って所定の高さまで上昇し、固定台７との間にほぼ垂直に張られた状態になったときは、ウインチ３を停止する。
このとき、タテワイヤ１０に設けたリング１７は、図５に示すように、ガイドワイヤ１６からシャックル１５が外れているので、リング１７はなんらの干渉を受けることなく、ガイドワイヤ１６に沿って上昇することができる。
【００２３】
タテワイヤ１０が所定の位置まで上昇してネット２０が展張されたときは、作業者はタラップ１８により鋼管支柱１に昇り、各ガイド手段１１とガイドワイヤ１６とをシャックル１５により再び連結する。これにより、鋼管支柱１へのネット２０の展張作業が終了する。
【００２４】
ネット２０の損傷などにより修理を行うような場合は、作業者が鋼管支柱１に昇って各ガイド手段１１のシャックル１５をガイドワイヤ１６から外し、曲げ鉄筋１４に引掛け又は取り外す。そして、ウインチ３を反対方向に回転させてウインチワイヤ７を巻き戻して矢印ｂ方向に移動させると、ネット２０を有するタテワイヤ１０は自重により下降し、地上に降ろされる。
ネット２０の修理等が終ったときは、前述の要領でウインチワイヤ７をウインチ３に巻き取り、タテワイヤ１０を上昇させてネット２０を展張し、各シャックル１５を再びガイドワイヤ１６に連結する。
【００２５】
上記の説明では、ウインチワイヤ７にネット２０を設けたタテワイヤ１０を接続した場合を示したが、タテワイヤ１０を省略し、ウインチワイヤ７の先端部を固定台７に固定し、ウインチワイヤ７に直接ネット２０を取付けてもよい。
また、ウインチ３を巻き戻してネット２０を下降させる場合を示したが、ネット２０を展張したときは制動手段によりウインチ３を保持固定し、ネット２０を降ろすときは、制動手段を解除して自重によりネット２０を下降させるようにしてもよい。
【００２６】
本発明は、上下方向に所定の間隔でネット２０が固定されたタテワイヤ１０又はウインチワイヤ７を、ウインチ台２と頭部金物４との間に張り渡したガイドワイヤ１６にリング１７を介して連結し、強風が吹いても従来の固定式ネットのように荷重が分散されるようにしたので、鋼管支柱１が損傷したり倒壊するおそれがなく、したがって強風の場合でもその都度ネット２０を下降させる必要がない。
【００２７】
また、ネット２０が損傷して修理を要する場合などにおいては、従来の昇降式ネットのようにネットを下降させて地上で補修などを行えばよいので、メンテナンスがきわめて容易である。
このように、本発明によれば、ネット２０の日常管理及びメンテナンスがきわめて容易で、作業性を大幅に向上することができる。
【符号の説明】
【００２８】
１  鋼管支柱、２  ウインチ台、３  ウインチ、４  頭部金物、５  滑車、６  固定台、７  ウインチワイヤ、１０  タテワイヤ、１１  ガイド手段、１２  ガイド部材、１４  曲げ鉄筋、１５  シャックル、１６  ガイドワイヤ、１７  リング、１８  タラップ、２０  ネット。
【図１】
2011177211.tif 000003
【図２】
2011177211.tif 000004
【図３】
2011177211.tif 000005
【図４】
2011177211.tif 000006
【図５】
2011177211.tif 000007
【図６】
2011177211.tif 000008
【図７】
2011177211.tif 000009